(57)【要約】【課題】装着が簡単で外れにくく、安価に提供することができるヘルメット用日除け板を実現する。【解決手段】発泡ウレタンなどの弾性板よりなる日除け板本体１に、ヘルメットの頭部が挿入される貫通孔５を穿設し、貫通孔５周縁の外周方に貫通孔５の中心線と交差する方向に切り込み６を設けることによって、貫通孔５の周縁と前記切り込み６の間にヘルメットの鍔を下方から支持する支持ベルト７と、切り込み６の外方に鍔を上方から押圧する押圧片８を形成する。支持ベルト７を形成した以外の部分において、貫通孔５の周縁から一定寸法外方に、切り込み９によって切起こし可能であって、鍔を下方から押圧する押圧片10と、鍔を上方から押える支受部11を形成する。【選択図】  図２
2015113552.tif 000002
【特許請求の範囲】
【請求項１】
発泡ウレタンなどの弾性板よりなる日除け板本体に、ヘルメットの頭部が挿入され、鍔が通過しない大きさの貫通孔を穿設し、該貫通孔周縁の外周方に貫通孔の中心を通る線と交差する方向に切り込みを設けることによって、貫通孔の周縁と前記切り込みの間にヘルメットの鍔を下方もしくは上方から支持する支持ベルトを形成し、前記切り込みの外方に前記支持ベルトとは反対の上方もしくは下方から鍔の一部を押圧する押圧片を形成し、前記支持ベルトを形成した部分以外の貫通孔の周辺に、切り込みによって切起こし可能であって、鍔を下方もしくは上方から押圧する押圧片と、該押圧片以外の部分において押圧片と反対側である上方もしくは下方から鍔を支受する支受部を形成することを特徴とするヘルメット用日除け板。
【請求項２】
貫通孔の周縁後部に、両端を貫通孔周縁の側方に切り込ませた後部周縁を形成するとともに、後部周縁の外方に後部周縁から略一定寸法を隔てた位置に切り込みを設けることによって鍔の後端部を下方から支持する支持ベルトを形成するとともに、貫通孔の周縁前部に、貫通孔周縁から一定寸法外方に貫通孔周縁と逆湾曲形状の前部切り込みを設けることによって鍔上面を支受する支受部と、該支受部の外方に鍔下面を押圧する押圧片を形成したことを特徴とする請求項１記載のヘルメット用日除け板。
【請求項３】
挿入するヘルメットの頭部の外周形状とほぼ等しい形状の貫通孔の前方に、貫通孔周縁の外方に、一定寸法を隔てて貫通孔の周縁と逆湾曲形状の切り込みを設けることによってヘルメット前部の鍔上面を支持する支持ベルトと、該支持ベルトの外方に鍔を下方から押圧する押圧片を形成するとともに、前記支持ベルトを形成した以外の貫通孔周縁の複数位置に、先端が貫通孔の周縁から内方に突出し、両端が切り込みによって貫通孔の周縁よりも外方に切り込まれる貫通孔の周縁と逆湾曲形状の凸弧状であって、ヘルメットの鍔を下方から押圧する押圧片と、切り込みによって前記押圧片と区画された貫通孔の周縁部分に、ヘルメットの鍔を上方から支持する支持部を形成したことを特徴とする請求項１記載のヘルメット用日除け板。
【請求項４】
切り込みの先端に丸みのある小さな貫通孔を穿設したことを特徴とする請求項１ないし３のいずれかに記載のヘルメット用日除け板。
【請求項５】
日除け板本体の表面に光の反射層を形成したことを特徴とする請求項１ないし４のいずれかに記載のヘルメット用日除け板。
【発明の詳細な説明】
【技術分野】
【０００１】
この発明は、主として屋外作業用ヘルメットに装着して使用する、ヘルメット用日除け板に関する発明である。
【背景技術】
【０００２】
屋外作業でヘルメットを被る場合に、なるべく陽射しを避けるために、例えばヘルメットの後頭部に日除けを垂らすことが行われている。また、特許文献１〜４に開示されるようにヘルメットに日除けとなる庇を着脱する思想も存在する。特許文献１には、日除け本体の貫通孔の内周部分に滑り止めゴムシートを設け装着状態を維持する思想が、特許文献２には、日除けとなる可撓性部材をスポンジ系のゴム輪によって装着する構造が、特許文献３には環状庇本体の詰襟部に係止片を設けて、これをヘルメットに装着する思想が、特許文献４には、合成樹脂板による環状の庇であって、透孔の内周に突片を形成しておき、突片を折曲した状態でヘルメットに装着し、突片を内装取付用紐の下側に位置させ、上方への逸脱を防止する思想が開示されている。
【先行技術文献】
【特許文献】
【０００３】
【特許文献１】実用新案登録第３０３２４７７号公報
【特許文献２】実用新案登録第３１２３２４８号公報
【特許文献３】実開昭５４−１１９７１６号公報
【特許文献４】実公昭４６−２７６２４号公報
【発明の概要】
【発明が解決しようとする課題】
【０００４】
特許文献１ないし４に開示される従来の日除けは、日除け部材の中心部に穿設した貫通孔にヘルメットの頭部を挿入し、挿入した日除け部材が脱落しないように貫通孔の周縁に摩擦抵抗の大きな滑り止めゴムシート(引用文献１)やゴム輪(引用文献２)を設けている。  このようなものでは、ゴムによる抵抗のみで日除け板を保持させるため、強風に煽られた場合などに日除け板が飛ばされてしまう可能性があった。
【０００５】
また、特許文献３に開示されるように、環状の庇にヘルメットの外周縁に係止するための係止片を設けるものでは、装着に手数を要するとともに、日除けそのものの製造に手数を要し、日除け板を安価に提供することができない欠点があった。特許文献４に記載された発明では、ヘルメットの内装取付用紐とヘルメット本体との間に庇の突片を挟み込むものであるため、必ずしも庇がしっかりと保持されるとは限らず、外れ易い欠点がある。
【０００６】
上記、従来技術の欠点に鑑み、本発明は、ヘルメットに対して装着が簡単であって外れにくく、安価に提供することができる、ヘルメット用日除け板を実現することを目的とするものである。また、ヘルメット用日除け板自体が熱くなるのをなるべく防止するヘルメット用日除け板を実現することを目的とするものである。
【課題を解決するための手段】
【０００７】
上記目的を達成する、請求項１記載の発明は、ヘルメットに装着する日除け板を発泡ウレタンなどの弾性板で形成する。
弾性板よりなる日除け板本体１に、ヘルメット２の頭部３が挿入され、鍔４が通過しない大きさの貫通孔５を穿設する。この貫通孔５周縁の外周方に貫通孔５の中心Ｏを通る線Ｘと交差する方向に切り込み６を設けることによって、貫通孔５の周縁と前記切り込み６の間にヘルメット２の鍔４を下方もしくは上方から支持する支持ベルト７を形成し、前記切り込み６の外方に前記支持ベルト７とは反対の上方もしくは下方から鍔４の一部を押圧する押圧片８を形成する。さらに、前記支持ベルト７を形成した部分以外の貫通孔５の周辺に、切り込み９によって切起こし可能であって、鍔４を下方もしくは上方から押圧する押圧片10と、該押圧片10以外の部分において押圧片と反対側である上方もしくは下方から鍔４を支受する支受部11を形成することを特徴とするヘルメット用日除け板である。
【０００８】
請求項２記載の発明は、貫通孔５の周縁の後部に、両端を貫通孔５周縁の側方に切り込ませた後部周縁5aを形成するとともに、後部周縁5aの外方に後部周縁から略一定寸法を隔てた位置に切り込み６を設けることによって鍔４の後端部を下方から支持する支持ベルト７を形成する。さらに、貫通孔５の周縁前部に貫通孔周縁と逆湾曲形状の前部切り込み９を、貫通孔の周縁から一定寸法外方に設けることによって鍔４上面を支受する支受部11と、該支受部11の外方に鍔４下面を押圧する押圧片10を形成したことを特徴とする請求項１記載のヘルメット用日除け板である。
【０００９】
請求項３記載の発明は、挿入するヘルメット２の頭部３の外周形状とほぼ等しい形状の貫通孔５の前方に、貫通孔５周縁の外方に、一定寸法を隔てて貫通孔の周縁と逆湾曲形状の切り込み６を設けることによってヘルメット前部の鍔４上面を支持する支持ベルト７と、該支持ベルト７の外方に鍔４を下方から押圧する押圧片８を形成するとともに、前記支持ベルト７を形成した以外の貫通孔５周縁の複数位置に、先端が貫通孔５の周縁から内方に突出し、両端が切り込み13,13によって貫通孔５の周縁よりも外方に切り込まれる貫通孔の周縁と逆湾曲形状の凸弧状であって、ヘルメットの鍔５を下方から押圧する押圧片10、10と、切り込み13,13によって前記押圧片16と区画された貫通孔５の周縁部分に、ヘルメットの鍔を上方から支持する支持部14を形成したことを特徴とする請求項１記載のヘルメット用日除け板である。
請求項４記載の発明は、切り込み６、９、12、13の先端に丸みのある小さな貫通孔15を穿設することである。
請求項５記載の発明は、日除け板本体１の表面に光の反射層17を形成することである。
【発明の効果】
【００１０】
請求項１記載の発明によれば、日除け板本体１の貫通孔５に、ヘルメット２の頭部３を挿入し、切り込み６によって形成された支持ベルト７をヘルメットの鍔４の上又は下に挿入するとともに、切り込み６によって分離された外方部分をヘルメットの鍔４の下又は上に位置させることによってヘルメットの鍔を上下方向から挟み込むように機能する。この時、支持ベルトの存在によって鍔がしっかりと保持される。
さらに、前記支持ベルト７を形成した部分以外の貫通孔５の周辺に形成した切り込み９に、ヘルメットの鍔４の別の部分を差し込むことによって、切り込み９によって形成される押圧片10と、押圧片10以外の部分において鍔４を上下方向から挟み込むことができる。これにより、日除け板本体１の弾性によってヘルメットの鍔４の複数位置において鍔４を挟み込むように機能させることができるため、比較的簡単に、かつ、外れないようにしっかりと装着することができる。
【００１１】
また、請求項１記載の本発明は、発泡ウレタンなどの弾性板に、貫通孔５を穿設し、複数の切り込み６や９を設けるだけの簡単な構造であるため、ヘルメットに装着した場合に、軽量であって、使用者の作業の負担とならない効果がある。また、本発明品は、例えば発砲ウレタン製の板材の打ち抜き加工によって簡単に製造することができるため、安価に提供することができる。
【００１２】
請求項２記載の発明によれば、後部周縁5aと後部周縁から略一定寸法を隔てた位置に切り込み６を設けることによってヘルメット２の後部の鍔４を下から支える支持ベルト７が形成されるとともに、周縁前部に貫通孔の周縁から一定寸法外方に、貫通孔５周縁と逆湾曲形状の切り込み９を設けることによって、鍔前方部分の上面を支受する支受部11が形成される。この支受部11は、幅方向のベルト状に形成されるため、後部の支持ベルト７と対応するようにバランスよく形成される。そして、支受部11の前方には、鍔４の前端部を下方から押圧(支持)する押圧片10が形成される。さらに、前方の支受部11及び支受部11に続く貫通孔の周縁部全体で鍔４を上方から支受することになるため、ヘルメット用日除け板を非常に安定的に支持することができる。
【００１３】
請求項３記載の発明によれば、貫通孔５の前方に形成される押圧片８と、貫通孔５の周縁に形成される押圧片16に、ヘルメットの鍔４を同じ面から、例えば押圧片８と16をヘルメットの鍔の下方に位置させるように差し込むことによって、比較的簡単に装着することができる。
このとき、前方の支持ベルト７と、押圧片16以外の貫通孔５の周縁が、鍔４を上方から支持する支持部14となって全体を安定的に装着することができる。
請求項４記載の発明によれば、切り込みの先端から日除け板本体１に亀裂が生じるのをなるべく防止することができる。
請求項５記載の発明は、日除け板本体１の表面に光の反射層17を形成したことによって、光が反射されて日除け板本体１が熱せられるのをなるべく防止することができる。
【図面の簡単な説明】
【００１４】
【図１】図１は、本発明ヘルメット用日除け板の斜視図、
【図２】図２は、ヘルメット用日除け板の平面図、
【図３】図３は、ヘルメットに図１に示すヘルメット用日除け板を装着した状態の平面図、
【図４】図４は、ヘルメットに図１に示すヘルメット用日除け板を装着した状態の底面図、
【図５】図５は、図３のＶ−Ｖ線断面図、
【図６】図６は、図３のVI−VI線断面図、
【図７】図７は、別の実施形態を示すヘルメット用日除け板平面図、
【図８】図８は、さらに別の実施形態を示すヘルメット用日除け板平面図、
【図９】図９は、日除け板本体の表面に反射層を形成した実施形態を示す斜視図である。
【発明を実施するための形態】
【００１５】
以下、本発明に係るヘルメット用日除け板の実施形態を添付の図面に基づいて説明する。図１は、日除け板全体の斜視図、図２は平面図である。
本発明に係る日除け板は、適度な弾性と強度を有する合成樹脂板を用いて製造することができる。好ましくは、発泡ウレタンのような発泡合成樹脂材製の板材を用いることによって、ヘルメットに日除けとして装着しても作業の邪魔にならない、軽量であって断熱性に優れたものとすることができる。
【００１６】
図１、図２に示すように、本発明ヘルメット用日除け板は、ヘルメットの全周にほぼ一定幅の庇が突出する程度の環状板とする。
すなわち、略楕円形の弾性板よりなる日除け板本体１に、ヘルメット２の頭部３が挿入され、鍔４が通過しない大きさの貫通孔５を穿設する。この貫通孔５周縁の外周方、具体的にはヘルメットの後頭部に相当する部分に、貫通孔５の中心Ｏを通る線Ｘ(中心線)と交差(直交)する方向に切り込み６を設けることによって、貫通孔５の周縁と前記切り込み６の間にヘルメット２の鍔４を下方から支受する支持ベルト７を形成する。
【００１７】
図１、図２の実施形態においては、貫通孔５の周縁の後部周縁5aは、ヘルメット頭部の外周位置よりも中心方向に移動させて大きな曲率半径の曲線とし、その両端を貫通孔５の周縁よりも外方に一定寸法(実寸で２cm程度)の切り込み12部分を形成している。後部周縁5aから一定寸法外方には、略後部外周縁5aと平行するように切り込み６を設けて一定幅のベルト、すなわち支持ベルト７を形成する。切り込み６を設けることによって、切り込み６の外方には切起こし可能な押圧片８が形成される。
【００１８】
日除け板本体１の前方には、貫通孔５の周縁から例えば１cm程度前方に、貫通孔５の周縁と逆方向の湾曲形状である切り込み９を設けている。前方の切り込み９を設けることによって、貫通孔５周縁と切り込み９の間に帯状の支受部11が形成されるとともに、切り込み９の前方に切起こし可能な舌片状の押圧片10が形成される。
【００１９】
上記構造の日除け板は、図３〜図６に示す状態でヘルメット２に装着する。すなわち、図３、図５から理解されるように、日除け板本体１の貫通孔５にヘルメット２の頭部３を挿入(図５)し、支持ベルト７をヘルメット２の下方に位置させ、切り込み６よりも後方の押圧片８を鍔４の上に出す。
一方、前方部分においては、日除け板本体１の切り込み９に、ヘルメット２前方の鍔４(庇部分)を下方から上方に向けて差し込むことによって、日除け板本体１をヘルメット２に装着することができる。
【００２０】
上記方法によってヘルメット２に装着したヘルメット用日除け板は、図４、図５に示すようにヘルメット２の後部を支持ベルト７によって比較的幅広の範囲を支持するとともに、ヘルメット２の前部において鍔４(庇部分)の前端部を押圧片10によって下から上に押圧し、鍔４の上面において帯状の支受部11によって支受する。これにより、ヘルメット２に対して日除け板本体１が安定的に装着される。
【００２１】
すなわち、ヘルメットの鍔４の後端部を支持ベルト７で、前端部を押圧片10で下から支える。一方、鍔４の後端部を押圧片８で上から押圧するとともに、鍔４の前方部分は支持部11で上方から支持(押圧)する。このとき、支受部11と連続的にヘルメットの後部にある支持ベルト７の切り込み12までの、貫通孔５の周縁が図６に示すように、支持部14となって鍔４を上方から支える(押える)ことになる。そのため、全体として日除け板を極めて安定よくヘルメットに装着することができる。
【００２２】
図７に示す実施形態は、挿入するヘルメット２の頭部３の外周形状とほぼ等しい形状の貫通孔５の前方に、貫通孔５周縁の外方に、一定寸法を隔てて貫通孔の周縁と逆湾曲形状の切り込み６を設けている。これにより、ヘルメット前部の鍔４上面を支持する支持ベルト７と、支持ベルト７の外方(前方)に鍔４を下方から押圧する押圧片８を形成している。
さらに、支持ベルト７を形成した以外の貫通孔５周縁の複数位置、図７に示す実施形態では三方に、先端が貫通孔５の周縁から内方に突出し、両端が切り込み13、13によって貫通孔５の周縁よりも外方に切り込まれる押圧片16,16を形成している。この押圧片16は、貫通孔の周縁と逆湾曲形状の凸弧状であって、ヘルメットの鍔５を下方から押圧する。押圧片16,16を形成する切り込み13,13によって、押圧片16と区画された貫通孔５の周縁部分にはヘルメットの鍔４を上方から支持する支持部14が形成される。
【００２３】
図７に示す実施形態のヘルメット用日除け板は、貫通孔５にヘルメットの頭部を挿入し、前方の支持ベルト７をヘルメット２前方の鍔４(庇) の上面に位置させ、支持ベルト７前方の押圧片８を鍔の下に挿入させる。そして、貫通孔５周縁に形成した三つの押圧片16,16は、ヘルメットの鍔４の下に差し込む。押圧片16,16を鍔４の下に差し込むことによって、切り込み13、13によって形成される支持部14は、押圧片16と反対側である鍔の上面に位置する。
【００２４】
本発明においては、切り込み６にヘルメットの鍔を差し込むと、ヘルメットの後端あるいは前端よりも中心寄りにおいて鍔の底面もしくは上面を支持し、押圧片８によって鍔の後端部を上方もしくは下方から押圧する。そして、支持ベルト７に支持されたヘルメットを外すためには、ヘルメットと鍔が相対的に前後方向に移動する必要があるが、支持ベルト７を外すためには大きく前後方向に移動させなければならない。このとき、支持ベルトと反対側ではヘルメットの鍔を切り込み９に差し込むことによって、大きな前後移動を防止することができるため装着状態を確実に維持することができる。
このように本発明では、押圧片16をヘルメットの鍔の下に差し込むことによって、押圧片16と支持部14とによってヘルメットの鍔４を上と下から挟み込むように作用し、日除け板本体１自体の弾性力で装着状態が維持されることになる。
【００２５】
図８に示す実施形態は、図２に示す実施形態の貫通孔５の左右両側縁に、図７に示す実施形態の押圧片16,16を追加したものである。この実施形態では、図１に示す実施形態のように、ヘルメットの鍔４の後端部を支持ベルト７で、前端部を押圧片10で下から支え、鍔４の後端部を押圧片８で上から押圧するとともに、鍔４の前方部分は支持部11で鍔の上方を支受するように装着する。さらに、貫通孔５の左右両側縁に配置した押圧片16,16を鍔４の下に挿入し、鍔の両側部分を押圧片16と支持部14で上下方向から挟むように支持する。
【００２６】
図１〜図６に示す実施形態においては、貫通孔５の後部周縁5aに形成される支持ベルト以外の周縁が、ヘルメットの鍔の上面に当接するものであるのに対して、図８に示す実施形態では、周縁の二か所において押圧片16が鍔４の下側に位置し、該部分において押圧片16と支持部14で鍔４を挟むように作用する。そのため、より安定性が向上するものである。
【００２７】
本発明では、板状の日除け板本体に対して、切り込み６、９、12や13を設ける。これら切り込みの先端には、丸みのある小さな貫通孔15,15を穿設することによって、応力の集中を回避し、切り込みの先端から破損するのを防止することができる。
【００２８】
図９に示す実施形態は、日除け板本体１の表面、具体的には上面に光の反射層を17形成するものである。反射層17を形成することによって、屋外作業に際して光が反射し、日除け板本体１そのものが加熱されることを防止し、作業者を効果的に保護することができる。強烈な日差し、あるいは何らかの熱源が近くにある場合、合成樹脂製の日除け板本体１は変形する可能性があるが、日除け板表面に反射層７を形成することによって熱による変形をなるべく回避することができる。
【００２９】
日除け板本体１の表面に反射層を形成するには、アルミニウム箔の裏面に粘着層を形成した反射材を貼着することによって実現することができる。あるいは、ニッケルなどの金属を蒸着する他、塗装によっても反射層を形成することができる。
【符号の説明】
【００３０】
１…日除け板本体、  ２…ヘルメット、  ３…頭部、  ４…鍔、  ５…貫通孔、  5a…後部周縁、  ６…切り込み、  ７…支持ベルト、  ８…押圧片、  ９…切り込み、  10…押圧片、  11…支受部、  12、13…切り込み、  14…支持部、  15…貫通孔、  16…押圧片、  17…反射層。
【図１】
2015113552.tif 000003
【図２】
2015113552.tif 000004
【図３】
2015113552.tif 000005
【図４】
2015113552.tif 000006
【図５】
2015113552.tif 000007
【図６】
2015113552.tif 000008
【図７】
2015113552.tif 000009
【図８】
2015113552.tif 000010
【図９】
2015113552.tif 000011